(57)【要約】      （修正有）【課題】足裏の角質の除去及び汚れや臭いの除去の他、足裏への適度な刺激を与えることができる。【解決手段】  足の裏をこすることを目的として浴室の洗い場床面に設置するものであって、粒度２．０mm以下の砂、セメント、水を混合して型枠成型し、洗い出しにより砂の粒子を露出させた表面構造であり、形状は、両足のほぼ全体を載せることができる大きさで全域に渡って隆起させた曲面状の本体表面に、直径φ３０mm〜φ６０mm、高さ５mm〜２０mmの突起を１乃至複数形成する。【選択図】図２
0003120029.tif 000002
【実用新案登録請求の範囲】
【請求項１】
足の裏をこすることを目的として浴室の洗い場床面に設置するものであって、粒度２．０mm以下の砂、セメント、水を混合して型枠成型し、洗い出しにより砂の粒子を露出させた表面構造であり、形状は、両足のほぼ全体を載せることができる大きさで全域に渡って隆起させた曲面状の本体表面に、直径φ３０mm〜φ６０mm、高さ５mm〜２０mmの突起を１乃至複数形成したことを特徴とする足裏用タイル。
【請求項２】
粒度０．５mm〜１．０mmの山砂と白セメントを、ほぼ２：１の割合で混合する請求項１記載の足裏用タイル。
【請求項３】
本体形状は、直径φ２２０mm〜φ３００mmの円盤状で、その中心に向かって５mm〜２０mm隆起させた曲面状であり、該本体表面の中心に、表面から連続した曲線で形成した直径φ約４５mm、高さ約１０mmの突起を設けた請求項１又は２記載の足裏用タイル。
【請求項４】
本体は、補強材を混練若しくは埋込により成型した請求項１、２又は３記載の足裏用タイル。
【請求項５】
突起は、本体成型後に付着成型する請求項１、２、３又は４記載の足裏用タイル。
【請求項６】
突起は、本体に対し砂の割合を変えた請求項５記載の足裏用タイル。
【考案の詳細な説明】
【技術分野】
【０００１】
本考案は、浴室の洗い場に設置して足の裏をこすり付けることを目的としたタイルに関するものである。
【背景技術】
【０００２】
人の体の表面には、ケラチンと呼ばれる硬タンパク質を主成分とする角質が生じる。角質は体の乾燥を防ぐことを目的として生成され、体表を覆って保護する効果がある。反面、特に足裏の踵に生じる角質は、しだいに蓄積されて古くなり、極めて硬い組織となって白質化して醜くなるのみならず、ヒビ割れや臭いの原因ともなっていた。特に、女性は素足でサンダル履きすると目立ちやすくなることや、ストッキングに伝線が生じやすくなる要因ともなる。
【０００３】
従来では、軽石やヤスリなどを使用することにより、古く蓄積した角質を削って除去する方法が採られていた。
【考案の開示】
【考案が解決しようとする課題】
【０００４】
ところが、軽石やヤスリなどは目詰まりしやすく、角質を削り取る効果がすぐに低下する問題があった。しかも、このような軽石などは、構造上角質の削り取りに専念しなければならないことや、綺麗に取り除くのに手間がかかる問題を有していた。このようなことは、古く硬くなった角質を除去するときにしか行わなくなることに繋がり、上述した問題をより助長する結果となっていた。
【課題を解決するための手段】
【０００５】
以上のような状況に鑑み、本考案者は鋭意研究の結果本考案を完成したものであり、その特徴とするところは、足の裏をこすることを目的として浴室の洗い場床面に設置するものであって、粒度２．０mm以下の砂、セメント、水を混合して型枠成型し、洗い出しにより砂の粒子を露出させた表面構造であり、形状は、両足のほぼ全体を載せることができる大きさで全域に渡って隆起させた曲面状の本体表面に、直径φ３０mm〜φ６０mm、高さ５mm〜２０mmの突起を１乃至複数形成したことにある。
【０００６】
ここで本明細書中でいうところのは、本体は、砂、セメント、水を混合して成型したセメント成型品であり、浴室の洗い場に置いて使用する。本体表面は、洗い出しにより混合した砂が露出した状態に加工され、これに足の裏をこすり付けることによって、足の裏に刺激を与えたり、角質の除去を行う。本考案においては、足裏全体に刺激を与えることができるように、両足のほぼ全体が載る大きさとすると共に、表面全体を隆起させた曲面にしている。そして、表面に１乃至複数の突起を設けることにより、土踏まずもこすれるようにしている。
【０００７】
砂の粒度としては、２．０mm以下であればよいが、０．５mm〜１．０mm程度が好ましい。本体形状は、特に限定するものではないが、円形や楕円形であれば設置時に洗い場の床面を傷つけにくくできる。特に、円形の場合は方向性がなく、利便性が高くなる。本体はセメント成型品であるため、床面を傷つけないようにすることと、使用時に移動しないようにするため、クッション性を有するマットなどを敷いて設置する。本体の成型に際しては、砂の他ビニロンなどのプラスチック繊維を補強材として混練してもよい。また、織物や網状の金属若しくはプラスチック製の補強材を埋め込んで成型してもよい。
【０００８】
突起は、本体と共に一体成型してもよいが、本体成型後に突起を設けるようにしてもよい。突起を本体と別体に設ける場合は、混合する砂の割合を加減して表面のざらつきを部分的に変えることができる。足の裏で土踏まずは比較的皮膚の柔らかい部分であるため、砂の混合割合を少なくして、こすったときの刺激が少なくすることも可能となる。
【考案の効果】
【０００９】
本考案に係る足裏用タイルは、上述した形状及び構造にしたことにより、足裏の角質の除去及び汚れや臭いの除去の他、足裏への適度な刺激を与えることができる。このような動作は、洗い場に設置するだけで、体を洗ったりすることと平行して行うことができる。このため、日常的な使用が手軽に行え、古くなった角質の蓄積も未然に防止し、常に綺麗な足裏に保つことが可能となる。
【００１０】
また、本体をほぼ両足が載る大きさとし、且つ突起を設けた構造としたことから、指先から土踏まずや踵まで足裏全体に刺激を与えることができ、血行を促進させることによって、皮膚病やしもやけ、足先の冷えなどの防止を図ることができる。
【考案を実施するための最良の形態】
【００１１】
本考案は、粒度２．０mm以下の砂を混合したセメント成型品であり、ほぼ両足を載せることができる大きさの表面全域を隆起させた曲面とすると共に、該表面に１乃至複数の突起を設けたことにより、上記課題を解決した。
【実施例１】
【００１２】
図１は、本考案に係る足裏用タイル１の一実施例を示すもので、粒度０．５〜１．０mmの山砂と白セメントを約２：１の割合で混合し、適宜水を混ぜて型枠成型したものである。本考案においては、図２のように成型後半硬化した状態で洗い出しにより、表面に砂の粒子４を露出させている。そして、約一日おいて硬化させた後、水中で一週間程度養生し、乾燥させて完成する。
【００１３】
本例に示す足裏用タイル１の形状は、本体２を直径φ２７０mm、厚み１６mmの円盤状とし、表面を中心に向かって約９mm程度隆起させた曲面としている。そして、この表面の中心に直径φ４５mm、高さ約９mmの突起３を形成している。
【実施例２】
【００１４】
突起３は、本体２と共に一体成型してもよいが、図３に示すように本体２成型後の半硬化状態で別途突起３を設けてもよい。突起３を付着させた後は、表面をコテやヘラなどで均し、本体２と一体化させる。そして、上述したように洗い出しや養生を経て製品とする。突起３を別体に設ける場合は、前述したように砂の混合比率を任意に選択することができる。このため、本体２と比率の異なる突起３を設けることも可能であり、それぞれ比率の異なる複数の突起３を設けることもできる。
【実施例３】
【００１５】
図４は、本考案に係る足裏用タイル１の使用状態を示すもので、浴室５の洗い場５１にマット６を敷いて設置する。このマット６は、ポリ塩化ビニル製のメッシュ状のもので、洗い場５１床面を傷つけないようにすることと滑り止めとしての機能を有している。一般的な使用方法としては、石鹸を泡立てて足裏用タイル１の表面に数滴落とす。使用者は、イス５２に座り両足を足裏用タイル１に載せて交互に前後させて軽くこする。踵などの角質が硬くなっている場合は、その部分を集中的にこすればよく、指先や指の間、土踏まずなどは突起３を利用してこすればよい。
【図面の簡単な説明】
【００１６】
【図１】本考案に係る足裏用タイルの一実施例を示す斜視図である。（実施例１）
【図２】本考案に係る足裏用タイルの断面図及び部分拡大断面図である。
【図３】本考案に係る足裏用タイルの他の実施例を示す斜視図である。（実施例２）
【図４】本考案に係る足裏用タイルの使用状態の一例を示す平面図である。（実施例３）
【符号の説明】
【００１７】
１  足裏用タイル
２  本体
３  突起
４  砂の粒子
５  浴室
５１  洗い場
５２  イス
６  マット
【図１】
0003120029.tif 000003
【図２】
0003120029.tif 000004
【図３】
0003120029.tif 000005
【図４】
0003120029.tif 000006